(57)【要約】【課題】複数の基板ケースのそれぞれが複数のロックセットを有する複雑な状況下においても、開封阻止機構の識別を有利に行うことが出来る、新規な構造の開封阻止機構識別構造を提供することを、目的とする。【解決手段】主制御基板ケース１０に備えられた複数の第一のロックセット７８において同時に使用される第一の開封阻止機構７６に付された識別表示８０と、払出制御基板ケース１１に備えられた複数の第二のロックセット８４において同時に使用される第二の開封阻止機構８２に付された識別表示８６とが、互いに異なるようにした。【選択図】図２
2007275229.tif 000002
【特許請求の範囲】
【請求項１】
遊技機の遊技動作全体を制御する主制御基板が収容される主制御基板ケースにおいて、該主制御基板ケースの開封を阻止する第一の開封阻止機構の集合体で構成された第一のロックセットを複数備えていると共に、該主制御基板からの制御信号に基づいて賞媒体の払い出しを行う払出制御基板が収容される払出制御基板ケースにおいて、該払出制御基板ケースの開封を阻止する第二の開封阻止機構の集合体で構成された第二のロックセットを複数備えており、更に、該第一のロックセットを構成する該第一の開封阻止機構のそれぞれと、該第二のロックセットを構成する該第二の開封阻止機構のそれぞれに対して、互いに異なる識別表示を付す一方、複数の該第一のロックセットのそれぞれにおいて同一の該識別表示が付された該第一の開封阻止機構を一つずつ設けると共に、複数の該第二のロックセットのそれぞれにおいて同一の該識別表示が付された該第二の開封阻止機構を一つずつ設けて、該主制御基板ケースに備えられた複数の該第一のロックセットにおいて同一の該識別表示が付された該第一の開封阻止機構を同時に使用すると共に、該払出制御基板ケースに備えられた複数の該第二のロックセットにおいて同一の該識別表示が付された該第二の開封阻止機構を同時に使用するようにしたことを特徴とする開封阻止機構識別構造。
【発明の詳細な説明】
【技術分野】
【０００１】
本発明は、遊技機に取り付けられた複数の基板ケースのうち、基板ケースの開封を阻止する開封阻止機構が設けられた基板ケース同士で開封阻止機構を識別するための開封阻止機構識別構造に関するものである。
【背景技術】
【０００２】
従来から、開封阻止機構を幾つか集めることで構成されたロックセットを複数設けて、各ロックセットを構成する開封阻止機構に対して互いに異なる識別番号を付す一方、複数のロックセットにおいて、同一の識別番号が付された開封阻止機構を一つずつ設けるようにし、更に、複数のロックセットにおいて、同一の識別番号が付された開封阻止機構を同時に使用するようにした基板ケースが知られている（特許文献１参照）。
【０００３】
しかしながら、遊技機には、上述の如き構造とされた基板ケースが複数取り付けられていることが一般的である。つまり、例えば遊技機が設置されたホールの従業員（特に初心者）にとっては、一つの遊技機に多数の開封阻止機構が存在し、しかも各基板ケースにおいては複数の開封阻止機構が同時に機能するという、理解し難い複雑な状況となっている。よって、例えば混乱した従業員が、基板ケースの状況（開封阻止機構の状況）を電話等で他者に誤伝達する可能性や、逆に電話等による他者の指示が正確であっても、誤った開封阻止機構を機能させてしまう可能性があった。
【０００４】
【特許文献１】特許第３７０６９５７号
【発明の開示】
【発明が解決しようとする課題】
【０００５】
ここにおいて、本発明は、上述の如き事情を背景として為されたものであって、その解決課題とするところは、複数の基板ケースのそれぞれが複数のロックセットを有する複雑な状況下においても、開封阻止機構の識別を有利に行うことが出来る、新規な構造の基板ケース識別構造を提供することにある。
【課題を解決するための手段】
【０００６】
以下、このような課題を解決するために為された本発明の態様を記載する。なお、以下に記載の各態様において採用される構成要素は、可能な限り任意の組み合わせで採用可能である。
【０００７】
本発明の開封阻止機構識別構造は、遊技機の遊技動作全体を制御する主制御基板が収容される主制御基板ケースの開封を阻止する第一の開封阻止機構の集合体で構成された第一のロックセットを主制御基板ケースが複数備えていると共に、主制御基板からの制御信号に基づいて賞媒体の払い出しを行う払出制御基板が収容される払出制御基板ケースの開封を阻止する第二の開封阻止機構の集合体で構成された第二のロックセットを払出制御基板ケースが複数備えていることを、特徴とする。また、本発明の開封阻止機構識別構造においては、第一のロックセットを構成する第一の開封阻止機構のそれぞれと、第二のロックセットを構成する第二の開封阻止機構のそれぞれに対して、互いに異なる識別表示が付されている一方、複数の第一のロックセットのそれぞれにおいて同一の識別表示が付された第一の開封阻止機構を一つずつ設けると共に、複数の第二のロックセットのそれぞれにおいて同一の識別表示が付された第二の開封阻止機構を一つずつ設けたことも、特徴とする。更にまた、本発明の開封阻止機構識別構造においては、主制御基板ケースに備えられた複数の第一のロックセットにおいて同一の識別表示が付された第一の開封阻止機構を同時に使用すると共に、払出制御基板ケースに備えられた複数の第二のロックセットにおいて同一の識別表示が付された第二の開封阻止機構を同時に使用するようにしたことも、特徴とする。
【０００８】
このような本発明に従う構造とされた開封阻止機構識別構造においては、主制御基板ケースに備えられた複数の第一のロックセットにおいて同時に使用される第一の開封阻止機構に付された識別表示と、払出制御基板ケースに備えられた複数の第二のロックセットにおいて同時に使用される第二の開封阻止機構に付された識別表示とが、互いに異なるようになっていることから、主制御基板ケースにおいて使用されている第一の開封阻止機構と払出制御基板ケースにおいて使用されている開封阻止機構を有利に識別することが可能となる。
【０００９】
従って、本発明の開封阻止機構識別構造においては、主制御基板ケースと払出制御基板ケースのそれぞれが複数のロックセットを備えている複雑な状況下においても、開封阻止機構の識別を有利に行うことが可能となる。
【００１０】
なお、本発明において、主制御基板ケースや払出制御基板ケースを構成する部材の形成材料は、収容されている制御基板を保護することが可能な強度を有していれば、特に限定されることはないが、収容されている制御基板を外部から視認出来る点から、例えば、ポリカーボネート（ＰＣ）等の透明な合成樹脂材料が好適に採用される。
【００１１】
また、本発明において、第一のロックセットを構成する第一の開封阻止機構や第二のロックセットを構成する第二の開封阻止機構の数は、二つ以上であれば、特に限定されることはない。
【００１２】
さらに、本発明において、賞媒体とは、遊技者による遊技の結果に基づいて払い出されるものであれば、特に限定されることはなく、例えば、遊技者が遊技をする際に使用する遊技媒体であっても良い。なお、この遊技媒体とは、例えば、パチンコ機における遊技球やスロットマシンにおけるコイン等である。
【００１３】
更にまた、本発明において、識別表示とは、互いに異なることが識別可能な表示であれば、特に限定されることはなく、例えば、数字や文字の他、色等であっても良い。また、本発明において、識別表示が付される位置は、識別表示を認識することが出来る位置であれば、特に限定されることはなく、例えば、各基板ケースにおける開封阻止機構の周辺に付されていても良いし、開封阻止機構を構成する部材に付されていても良い。更に、本発明において、識別表示を付す方法は、特に限定されるものではないが、識別表示の認識を長期間に亘って安定して行うことが出来る方法であることが望ましい。具体的には、例えば、各基板ケースに識別表示を刻印する方法や、各基板ケースを構成する部材の裏側から識別表示が記載されたステッカーを貼る方法，更には、各基板ケースを構成する部材に対して識別表示が記載されたステッカー等を埋め込む方法等が考えられる。
【発明を実施するための最良の形態】
【００１４】
以下、本発明を更に具体的に明らかにするために、本発明の実施形態について、図面を参照しつつ、詳細に説明する。
【００１５】
先ず、図１には、遊技機としてのパチンコ機１が示されている。このパチンコ機１は、機体の外郭を為す外枠２の開口前面側において、縦長方形の中枠３が開閉及び着脱自在に組み付けられた構造とされている。また、中枠３には、図示しない遊技領域が形成された遊技盤（図示せず）が着脱自在に組み付けられており、かかる遊技領域が、中枠３に対して開閉可能に組み付けられたガラス枠４によって保持されているガラス板５を通して遊技者に視認されるようになっている。そして、中枠３に設けられた操作ハンドル６に対して回動可能に装着された操作レバー７を遊技者が回動操作することにより、中枠３に設けられた上皿８に貯留されている遊技球が、図示しない球送り機構を介して発射装置（図示せず）に送られた後、遊技領域に向けて発射されるようになっている。
【００１６】
このようなパチンコ機１の裏側には、パチンコ機１の遊技動作全体の制御、すなわち例えば大当たり判定や遊技領域に設けられた各入賞装置における入賞確認等を行う主制御基板１６が収容された主制御基板ケース１０（図２参照）や、主制御基板１６からの制御信号に基づいて賞媒体としての賞球（遊技球）の払い出しを行う払出制御基板１７が収容された払出制御基板ケース１１（図３参照）等が、適当な位置に取り付けられている。
【００１７】
そこにおいて、本実施形態では、主制御基板ケース１０と払出制御基板ケース１１は同様な構造とされていることから、以下、主制御基板ケース１０の構造についてのみ詳細に説明することにし、払出制御基板ケース１１については、主制御基板ケース１０を構成する各種部材に付された符号と同一の符号を付すことにより、それらの詳細な説明を省略することにする。
【００１８】
主制御基板ケース１０は、図２に示されているように、ケース本体１２に対して蓋部材１４が組み付けられた構造とされており、その内部に主制御基板１６が収容されるようになっている。
【００１９】
より詳細には、ケース本体１２は、ポリカーボネート（ＰＣ）等の透明な硬質の合成樹脂材料によって形成されており、図４乃至６に示されているように、全体として、底板１８の外周縁部に沿って全周に亘って延びる周壁２０が立設されて、上側に開口する開口部２２が形成された構造とされている。
【００２０】
そこにおいて、本実施形態では、ケース本体１２の長手方向（図４における左右方向）で対向位置せしめられた一対の長手方向対向壁部２４，２４のそれぞれに対して、上方に開口して長手方向対向壁部２４の長手方向（ケース本体１２の幅方向、即ち、図４における上下方向）に延びるガイド溝２６が形成されている。
【００２１】
また、ケース本体１２の幅方向一方（図４における下方）の側壁部には、複数（本実施形態では、八つ）の本体側筒部２８が一体形成されている。特に、本実施形態では、これら八つの本体側筒部２８は、ケース本体１２の長手方向中央を挟んで、長手方向一方の側と他方の側に、四つずつまとめて設けられている。即ち、本実施形態では、四つの本体側筒部２８が集まることで構成された、本体側筒部２８の集合体が、ケース本体１２の長手方向中央を挟んで二つ設けられているのである。
【００２２】
また、本実施形態では、各本体側筒部２８は有底円筒形状とされており、その周壁部分が、ケース本体１２の幅方向一方の側壁部に対して、取付片３０によって取り付けられている。これにより、各本体側筒部２８がケース本体１２の外周縁部としての周壁２０に対して一体形成されているのである。
【００２３】
そこにおいて、本実施形態では、各本体側筒部２８の開口方向（中心軸線が延びる方向）は、ケース本体１２の開口部２２の開口方向（底板１８に対して略直交する方向）に対して略平行とされている。
【００２４】
また、本実施形態では，各本体側筒部２８の上方において、Ｕ字断面で本体側筒部２８の開口方向（軸方向）に延びる下段収容部３２が一体形成されている。そして、下段収容部３２の底壁に形成された連通孔によって、下段収容部３２と本体側筒部２８が連通せしめられている。
【００２５】
更にまた、本実施形態では、各下段収容部３２の上方において、コ字状断面で本体側筒部２８の開口方向（軸方向）に延びる上段収容部３４が一体形成されている。そして、上段収容部３４の底壁に形成された切欠によって、上段収容部３４と下段収容部３２が連通せしめられている。なお、本実施形態では、隣り合う二つの上段収容部３４は、隣り合う方向に位置する側壁部（ケース本体１２の幅方向に延びる側壁部）を共有している。
【００２６】
このような構造とされたケース本体１２に組み付けられる蓋部材１４は、ケース本体１２と同様に、ポリカーボネート（ＰＣ）等の透明な硬質の合成樹脂材料によって形成されており、図７乃至９に示されているように、全体として、天板３６の外周縁部に沿って延びる周壁３７が立設されて、下側に開口する開口部が形成された構造とされている。なお、本実施形態の天板３６は、その幅方向（図５中の上下方向）中間部分において傾斜部分が設けられており、それによって、幅方向の両端において天板３６から開口端までの距離が異ならされている。
【００２７】
また、蓋部材１４の幅方向一方の側壁部には、複数（本実施形態では、八つ）の蓋側筒部３８が一体形成されている。特に、本実施形態では、これら八つの蓋側筒部３８は、蓋部材１４の長手方向中央を挟んで、長手方向一方の側と他方の側に、四つずつまとめて設けられている。即ち、本実施形態では、四つの蓋側筒部３８が集まることで構成された、蓋側筒部３８の集合体が、蓋部材１４の長手方向中央を挟んで二つ設けられているのである。
【００２８】
そこにおいて、本実施形態では、各蓋側筒部３８は、矩形断面で開口する枠体乃至は筒体形状とされた上側収容部４０の底壁に対して略一定の断面でストレートに延びる円筒形状とされた下側収容部４２が同一中心軸線上で軸方向下方に突設された構造とされており、これら上側収容部４０と下側収容部４２は、上側収容部４０の底壁に形成された連通孔を通じて、相互に連通せしめられている。
【００２９】
特に、本実施形態では、各蓋側筒部３８の開口方向（中心軸線が延びる方向）、即ち、上側収容部４０と下側収容部４２の開口方向（中心軸線が延びる方向）が、蓋部材１４の開口方向（天板３６に略直交する方向）に対して略平行とされている。
【００３０】
このような構造とされた蓋側筒部３８は、上側収容部４０が一対の取付片４４，４４によって蓋部材１４における幅方向一方の側壁部に取り付けられている。これにより、各蓋側筒部３８が蓋部材１４の外周縁部としての周壁３７に対して一体形成されているのである。
【００３１】
続いて、上述の如き構造とされた蓋部材１４を、ケース本体１２に対して組み付ける方法について、説明する。先ず、蓋部材１４の長手方向（図７における左右方向）で対向位置せしめられる一対の長手方向対向壁部４６，４６を、ケース本体１２の長手方向両端に形成された一対のガイド溝２６，２６に嵌め入れる。その際、図１０に示されているように、ケース本体１２における各ガイド溝２６内に設けられた係止片４８，４８は、蓋部材１４における各長手方向対向壁部４６に形成された係止用切欠５０，５０内に収容位置せしめられるようになっている。なお、本実施形態の係止片４８，４８は、それぞれ、各ガイド溝２６の側壁部分に対して一体的に設けられている。
【００３２】
そこにおいて、本実施形態では、上述の如く、蓋部材１４における一対の長手方向対向壁部４６，４６がケース本体１２における一対のガイド溝２６，２６に嵌め入れられた状態で、ケース本体１２の底板１８と蓋部材１４における天板３６は、天板３６における傾斜部分を除いて略平行とされている。
【００３３】
また、図面上では明示されていないが、本実施形態では、上述の如く、ケース本体１２に設けられたガイド溝２６，２６に対して蓋部材１４における長手方向対向壁部４６，４６を嵌め入れる前において、主制御基板１６は、そこに実装されているコネクタ５２が蓋部材１４に形成された窓５４から外部に突出した状態で、蓋部材１４に対してネジ止めされるようになっている。
【００３４】
このような状態から係止片４８，４８が係止用切欠５０，５０に係止される方向（ケース本体１２の開口部２２を蓋部材１４で覆蓋する方向、即ち、蓋を閉める方向））へと蓋部材１４をケース本体１２に対してスライド変位（本実施形態では、底板１８に対して天板３６を平行移動させるようなスライド変位）せしめることにより、図１１に示されているように、係止片４８，４８が係止用切欠５０，５０に係止されるようになっている。これにより、ケース本体１２に対して蓋部材１４が組み付けられた状態となって、図２に示されているように、ケース本体１２の開口部２２が蓋部材１４で覆蓋されることとなる。その結果、蓋部材１４にネジ止めされた主制御基板１６が開口部２２を通じてケース本体１２に入れられることとなる。
【００３５】
なお、本実施形態では、上述の如く、ケース本体１２の開口部２２が蓋部材１４で覆蓋された状態で、図２に示されているように、ケース本体１２の幅方向他方の側壁部に形成された突起５６が、蓋部材１４における幅方向他方の側壁部に形成された挿通孔５８に嵌め入れられるようになっている。
【００３６】
また、上述の如く、蓋部材１４をケース本体１２に対してスライド変位せしめることにより、図１２に示されているように、蓋側筒部３８における下側収容部４２が本体側筒部２８の上方に設けられた下段収容部３２内に位置せしめられると共に、蓋側筒部３８における上側収容部４０が下段収容部３２の上方に形成された上段収容部３４内に位置せしめられるようになっている。これにより、蓋側筒部３８と本体側筒部２８が、ケース本体１２に対して蓋部材１４が組み付けられた状態で、同一中心軸線上に位置せしめられるようになっている。
【００３７】
そして、上述の如く、蓋側筒部３８と本体側筒部２８が同一中心軸線上に位置せしめられることにより、蓋側筒部３８の内部空間と本体側筒部２８の内部空間が後述するスプリングピン６０の挿入を許容する位置にあることとなり、その結果、蓋側筒部３８の内部空間と本体側筒部２８の内部空間が実質的に繋がった状態とされているのである。
【００３８】
なお、本実施形態では、上述の如く、蓋側筒部３８と本体側筒部２８が同一中心軸線上に位置せしめられた状態で、蓋側筒部３８における下側収容部４２の下端面と下段収容部３２の上面との間には、隙間が形成されている。
【００３９】
また、本実施形態では、底板１８に対して天板３６が平行移動するようにして、蓋部材１４がケース本体１２に対してスライド変位せしめられることにより、蓋部材１４がケース本体１２に対して脱着されるようになっていることから、蓋部材１４がケース本体１２に対して組み付けられた状態で、蓋側筒部３８と本体側筒部２８の並ぶ方向（これら蓋側筒部３８と本体側筒部２８に共通の中心軸線が延びる方向）が、蓋部材１４のケース本体１２に対するスライド方向に略直交しているのである。
【００４０】
そして、上述の如く、同一中心軸線上に位置せしめられた本体側筒部２８と蓋側筒部３８に跨るようにして、スプリングピン６０が挿入されるようになっている。そこにおいて、本実施形態のスプリングピン６０は、鉄鋼やばね鋼，ばね用ステンレス鋼等で形成されており、図１３及び図１４に示されているように、周方向の一部において軸方向に蛇行しながら延びる切り込み６２が形成された筒形状とされている。なお、このようなスプリングピン６０は、例えば、長手方向両端が鋸歯状に形成された板材を適当な機械や工具を用いて丸めること等によって、有利に形成される。また、本実施形態のスプリングピン６０は、その軸方向両端の外側角部に対して、全周に亘って角取りが施されており、それによって、軸方向両端の何れの側からであっても、スプリングピン６０の本体側筒部２８と蓋側筒部３８への挿入が有利に行われるようになっている。
【００４１】
また、本実施形態では、このようなスプリングピン６０に対して組付ピン６４が取り付けられている。この組付ピン６４は、ＡＢＳ等の合成樹脂材によって形成されており、図１５及び図１６に示されているように、全体として矩形平板形状とされた板状片６６の中央部分から厚さ方向一方の側に突出する挿入軸６８が一体形成された構造とされている。なお、本実施形態では、板状片６６の長手方向両端の下側角部に対して板状片６６の幅方向全長に亘って角取りが施されている。これにより、後述する板状片６６の上側収容部４０内における上側開口から底壁への移動を有利に行うことが可能となる。
【００４２】
このような構造とされた組付ピン６４は、図１７に示されているように、スプリングピン６０の軸方向一方の端から挿入軸６８が挿し込まれて固定されることにより、スプリングピン６０に対して組み付けられている。そこにおいて、図面上では明示されていないが、本実施形態では、このようにして、スプリングピン６０に組付ピン６４が組み付けられた状態で、スプリングピン６０の軸方向上方（組付ピン６４が組み付けられた側）から見ると、組付ピン６４における板状片６６によって、スプリングピン６０が覆い隠されるようになっている。
【００４３】
そして、上述の如く、組付ピン６４が組み付けられたスプリングピン６０は、図１８に示されているように、組付ピン６４が取り付けられていない軸方向他方の端部側から蓋側筒部３８に挿入されるようになっている。
【００４４】
これにより、スプリングピン６０における下側収容部４２に嵌め入れられている部分に対して、スプリングピン６０を締める力が作用することとなる。その結果、スプリングピン６０が元の形状に戻ろうとする力（復元力）が下側収容部４２に作用することとなる。
【００４５】
そして、上述の如きスプリングピン６０による復元力が下側収容部４２に作用することによって、スプリングピン６０の外周面が下側収容部４２の内周面に押し当てられることとなる。その結果、スプリングピン６０の外周面と下側収容部４２の内周面との間にスプリングピン６０の変位を阻止する方向に摩擦力が発生することとなる。
【００４６】
そして、上述の如く、スプリングピン６０が下側収容部４２に嵌め入れられた状態からスプリングピン６０を摩擦力に抗して更に嵌め入れることにより、図１９に示されているように、スプリングピン６０が蓋側筒部３８と本体側筒部２８とに跨って挿入された状態となる。
【００４７】
そこにおいて、本実施形態では、上述の如く、スプリングピン６０が蓋側筒部３８と本体側筒部２８とに跨って挿入された状態で、スプリングピン６０における下側収容部４２に嵌め入れられている部分だけに対して、スプリングピン６０を締める力が作用するようになっている。即ち、本実施形態では、スプリングピン６０の軸方向変位を阻止する摩擦力が、スプリングピン６０における下側収容部４２に嵌め入れられている部分のみに及ぼされるようになっているのであり、その結果、本実施形態では、スプリングピン６０は蓋側筒部３８（下側収容部４２）のみに対して嵌められて固定されているのである。
【００４８】
また、本実施形態では、上述の如く、スプリングピン６０が蓋側筒部３８と本体側筒部２８とに跨って挿入されていると共に、スプリングピン６０が蓋側筒部３８に嵌められて固定された状態で、スプリングピン６０の軸方向一方の端部は蓋側筒部３８内に位置せしめられていると共に、スプリングピン６０の軸方向他方の端部は本体側筒部２８内に位置せしめられている。
【００４９】
更にまた、本実施形態では、図１８に示されている状態から更にスプリングピン６０を嵌め入れる際において、スプリングピン６０に固定された組付ピン６４における板状片６６の長手方向両端が、上側収容部４０における長手方向（図９や図１８における左右方向）で対向位置せしめられる一対の対向壁部７０，７０に対して摺動せしめられるようになっている。
【００５０】
そこにおいて、本実施形態では、一対の対向壁部７０，７０の対向面間距離が、上側収容部４０の上側開口から底壁へと行くに従って次第に短くなるようにされている。これにより、スプリングピン６０に固定された組付ピン６４における板状片６６の長手方向両端は、上側収容部４０の底壁側に行くに従って次第に上側収容部４０の上側開口側への反りが大きくなるようになっている。
【００５１】
そして、板状片６６が上側収容部４０の底壁に到達すると、板状片６６の長手方向両端部のそれぞれが、上側収容部４０の上側開口側に反った状態から元の状態に戻ると共に、各対向壁部７０の底壁付近に形成された開口穴７２に入り込むようになっている。その結果、板状片６６の長手方向両端部のそれぞれが、各対向壁部７０に形成された開口穴７２の内周面７４（特に、スプリングピン６０の嵌め入れ方向とは反対側に位置する上側開口側の面）に係止されることにより、組付ピン６４の上側収容部４０の上側開口側への変位、延いては、スプリングピン６０の軸方向上方への変位（抜け方向となる挿入方向とは反対方向への変位）が阻止されることとなる。
【００５２】
なお、本実施形態では、図１８に示された状態、即ち、スプリングピン６０が蓋側筒部３８に嵌め入れられて、板状片６６の上面が蓋側筒部３８の上端面と同じ高さに位置せしめられた状態で、図２０に示されているように、板状片６６における幅方向両端と上側収容部４０との間に隙間が形成されている。
【００５３】
特に、本実施形態では、図面上では必ずしも明らかではないが、板状片６６の上面が蓋側筒部３８（上側収容部４０）の上端面と同じ高さに位置せしめられた状態から板状片６６の長手方向両端のそれぞれが開口穴７２，７２に入り込むまでの間において、板状片６６における幅方向両端と上側収容部４０との間には、それぞれ、隙間が形成されるようになっている。これにより、スプリングピン６０が蓋側筒部３８と本体側筒部２８とに跨って挿入された状態に至るまでの間において、板状片６６の長手方向両端のみが上側収容部４０の上側開口側に反るようになっている。その結果、スプリングピン６０が蓋側筒部３８に嵌め入れられた状態からスプリングピン６０が蓋側筒部３８と本体側筒部２８とに跨って挿入された状態に至るまでの抵抗を小さくすることが可能となる。
【００５４】
上述の説明から明らかなように、本実施形態では、本体側筒部２８と蓋側筒部３８とスプリングピン６０を含んで第一の開封阻止機構７６が構成されている。そして、本実施形態では、第一の開封阻止機構７６が四つ集まることで構成された第一のロックセット７８が二つ設けられているのである。
【００５５】
また、二つの第一のロックセット７８のそれぞれにおいて同一の識別番号８０が付された第一の開封阻止機構７６が一つずつ設けられるようにして、第一のロックセット７８を構成する四つの第一の開封阻止機構７６のそれぞれに対して、互いに異なる識別表示としての識別番号８０が付されている。具体的には、本実施形態では、蓋部材１４の天板３６における蓋側筒部３８の付近に対して、蓋部材１４の長手方向一端側から他端側に向けて、「１」〜「４」の数字が順番に一つずつ刻印されている。
【００５６】
そして、各第一のロックセット７８において、同一の識別番号８０が付された第一の開封阻止機構７６が同時に使用されるようになっており、使用中の第一の開封阻止機構７６は、図１９に示されているように、スプリングピン６０が本体側筒部２８と蓋側筒部３８とに跨って挿入されている一方、現在使用されていない第一の開封阻止機構７６は、図１８に示されているように、スプリングピン６０が蓋側筒部３８のみに嵌め入れられている。
【００５７】
また、本実施形態の払出制御基板ケース１１においては、図３に示されているように、本体側筒部２８と蓋側筒部３８とスプリングピン６０を含んで第二の開封阻止機構８２が構成されている。そして、本実施形態では、かかる第二の開封阻止機構８２が四つ集まることで構成された第二のロックセット８４が二つ設けられているのである。
【００５８】
また、二つの第二のロックセット８４のそれぞれにおいて同一の識別番号８６が付された第二の開封阻止機構８２が一つずつ設けられるようにして、第二のロックセット８４を構成する四つの第二の開封阻止機構８２のそれぞれに対して、互いに異なる識別表示としての識別番号８６が付されている。具体的には、本実施形態では、蓋部材１４の天板３６における蓋側筒部３８の付近に対して、蓋部材１４の長手方向一端側から他端側に向けて、「５」〜「８」の数字が順番に一つずつ刻印されている。
【００５９】
そして、各第二のロックセット８４において、同一の識別番号８６が付された第二の開封阻止機構８２が同時に使用されるようになっており、使用中の第二の開封阻止機構８２は、図１９に示されているように、スプリングピン６０が本体側筒部２８と蓋側筒部３８とに跨って挿入されている一方、現在使用されていない第二の開封阻止機構８２は、図１８に示されているように、スプリングピン６０が蓋側筒部３８のみに嵌め入れられている。
【００６０】
このことから明らかなように、第一のロックセット７８を構成する四つの第一の開封阻止機構７６のそれぞれに付されている識別番号８０と、第二のロックセット８４を構成する四つの第二の開封阻止機構８２のそれぞれに付されている識別番号８６は、互いに異なるように設定されているのである。
【００６１】
そして、上述の説明から明らかなように、本実施形態では、主制御基板ケース１０を構成する蓋部材１４に付された識別番号８０と、払出制御基板ケース１１を構成する蓋部材１４に付された識別番号８６とを含んで、開封阻止機構識別構造が構成されているのである。
【００６２】
このような開封阻止機構識別構造８０，８６を備えたパチンコ機１においては、主制御基板ケース１０における第一のロックセット７８を構成する四つの第一の開封阻止機構７６のそれぞれに付された識別番号８０と、払出制御基板ケース１１における第二のロックセット８４を構成する四つの第二の開封阻止機構８２のそれぞれに付された識別番号８６とが、互いに異なるようになっていることから、主制御基板ケース１０と払出制御基板ケース１１のそれぞれにおいて使用中の開封阻止機構７６．８２を有利に識別することが可能となる。また、主制御基板ケース１０と払出制御基板ケース１１のそれぞれにおいて使用されていない開封阻止機構７６，８２を有利に識別することも可能となる。
【００６３】
従って、主制御基板ケース１０と払出制御基板ケース１１のそれぞれにおいて二つのロックセット７８，７８，８４，８４が設けられている複雑な状況下であっても、開封阻止機構７６，８２の識別を有利に行うことが可能となる。
【００６４】
また、各基板ケース１０，１１において同時に使用される開封阻止機構７６，８２が二つあることから、開封阻止機構７６，８２が使用されることによる基板ケース１０，１１の局部的な撓みを有利に回避することも可能となる。
【００６５】
更にまた、本実施形態では、ケース本体１２に対して蓋部材１４が組み付けられた状態で、ケース本体１２に対する蓋部材１４のスライド変位方向に略直交する方向に延びる中心軸線上に位置せしめられた蓋側筒部３８と本体側筒部２８とに跨って挿入されるスプリングピン６０が、蓋側筒部３８における下側収容部４２に嵌められて固定されていることから、ケース本体１２に対する蓋部材１４の開蓋方向へのスライド変位がスプリングピン６０によって阻止されることとなり、その結果、基板ケース１０，１１の封止状態が実現されるようになっている。
【００６６】
そこにおいて、スプリングピン６０は、周方向の一部において軸方向の全長に亘って切り込み６２が形成された筒形状とされており、軸直角方向にばね作用を生ぜしめるようになっていることから、スプリングピン６０において蓋側筒部３８の下側収容部４２に嵌められている部分に及ぼされる、スプリングピン６０を締める力の反力が、下側収容部４２に及ぼされることとなる。これにより、スプリングピン６０の外周面と下側収容部４２の内周面との間に発生する摩擦力を有利に確保することが可能となる。その結果、蓋側筒部３８における下側収容部４２に成形時の寸法誤差があったり、基板ケース１０，１１の周辺温度の変化があった場合でも、スプリングピン６０の軸方向への変位が有利に阻止されることとなり、スプリングピン６０が蓋側筒部３８における下側収容部４２に嵌められた状態の安定化を図ることが可能となる。
【００６７】
従って、本実施形態では、基板ケース１０，１１の安定した封止状態を有利に実現することが可能となる。
【００６８】
また、本実施形態では、本体側筒部２８が有底円筒形状とされていることから、本体側筒部２８の底壁に穴を開ける等しない限り、スプリングピン６０が本体側筒部２８の側から引きぬけないようになっており、しかも、スプリングピン６０と蓋側筒部３８における下側収容部４２との間において、スプリングピン６０の引き抜き方向に対して逆らう方向に摩擦力が働くようになっていることから、スプリングピン６０の引き抜きを有利に阻止することが可能となり、その結果、基板ケース１０，１１の封止状態の更なる安定化を図ることが可能となる。
【００６９】
加えて、本実施形態では、スプリングピン６０が下側収容部４２と本体側筒部２８とに跨って挿入された状態で、スプリングピン６０に固定された組付ピン６４における板状片６６の長手方向両端が、上側収容部４０における一対の対向壁部７０，７０の底壁側に形成された開口穴７２，７２に嵌め込まれるようになっていることから、板状片６６の長手方向の各端部が開口穴７２の内周面７４に対して係止されるようにすることが可能となる。これにより、例えば、本体側筒部２８の底壁に穴を開ける等して、スプリングピン６０を挿入方向とは反対の方向に押し戻そうとしても、板状片６６の長手方向の各端部が開口穴７２の内周面７４に対して係止されることにより、スプリングピン６０の挿入方向とは反対側の方向への変位を阻止することが可能となる。その結果、基板ケース１０，１１の安定した封止状態を一層有利に実現することが出来る。
【００７０】
また、本実施形態では、スプリングピン６０に固定された組付ピン６４における板状片６６をスプリングピン６０の軸方向上方から見た場合に、板状片６６がスプリングピン６０を覆い隠すようになっていることから、スプリングピン６０を挿入する際に力を加えることが出来る面積を有利に確保することが可能となり、その結果、スプリングピン６０の挿入作業の作業効率を向上させることが可能となる。
【００７１】
また、本実施形態では、スプリングピン６０は下側収容部４２（蓋側筒部３８）のみに対して嵌められて固定されるようになっていることから、蓋側筒部３８を蓋部材１４の周壁３７に連結している取付片４４，４４をニッパー等で切断することにより、蓋側筒部３８を蓋部材１４から分離するだけで、スプリングピン６０を本体側筒部２８から容易に抜き取ることが可能となる。その結果、基板ケース１０，１１を開封した痕跡を残しつつ、基板ケース１０，１１の開蓋作業を速やかに行うことが可能となる。
【００７２】
以上、本発明の一実施形態について詳述してきたが、これはあくまでも例示であって、本発明は、かかる実施形態における具体的な記載によって、何等、限定的に解釈されるものではない。
【００７３】
例えば、アラビア数字の代わりに、アルファベットやローマ数字，漢数字，文字，図形等を付すようにしても良い。また、蓋部材１４に刻印する代わりに、識別表示が記載されたステッカーを蓋部材１４に貼付しても良い。更にまた、例えば、板状片６６の色を変更することで識別するようにしても良い。
【００７４】
また、ロックセットは、基板ケースの長辺と短辺に設けられていても良いし、基板ケースにおいて対向位置せしめられる辺に一つずつ設けるようにしても良い。
【００７５】
更にまた、開封阻止機構の構造は、前記実施形態の構造に限定されるものではない。更に、前記実施形態における組付ピン６４は、必ずしも必要なものではない。また、前記実施形態におけるスプリングピン６０の軸方向端部外側の角部に対する角取りは、必ずしも必要なものではない。
【００７６】
また、スプリングピンにおける周方向で分断されている部分は、前記実施形態のように、蛇行している必要はなく、真っ直ぐ延びていても良い。更に、スプリングピンは、板材を一周以上に巻いた構造であっても良い。
【００７７】
更にまた、周方向で分断された筒状のスプリングピンに対して、スプリングピンの形成材料よりも硬度が低い材料で形成された挿入部材を挿入固定しても良い。これにより、スプリングピンにおいて周方向で分断されている部分の離隔距離を有利に確保することが可能となり、その結果、スプリングピンの軸直角方向へのばね作用を有利に得ることが可能となる。なお、挿入部材の形成材料としては、例えば、硬質ゴムやシリコーン，セラミックス，ウレタン等が採用される。
【００７８】
また、スプリングピン６０は、本体側筒部２８に対して嵌められて固定されるようになっていても良いし、本体側筒部２８と蓋側筒部３８の両方に対して嵌められて固定されるようになっていても良い。
【００７９】
さらに、主制御基板１６や払出制御基板１７は、蓋部材１４に対してネジ止めされる必要はなく、主制御基板１６や払出制御基板１７の適当な位置に形成された穴に対して蓋部材１４に設けられた突起を挿し込むことにより、蓋部材１４に対して位置決めされているだけであっても良い。
【００８０】
なお、前記実施形態において、下側収容部４２の内径寸法が軸方向上端から軸方向下端に行くに従って次第に小さくされていても良い。これにより、スプリングピン６０の挿入作業を有利に実現することが可能となる。
【００８１】
また、板状片の板面に直交する方向から見た形状は、円形や楕円形，多角形等が何れも採用され得る。
【００８２】
更にまた、スプリングピンは、本体側筒部の側から嵌め入れられるようになっていても良い。
【００８３】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００８４】
【図１】本発明の一実施形態としての基板ケース識別構造が採用されたパチンコ機の正面図。
【図２】同パチンコ機に採用されている主制御基板ケースの平面図。
【図３】図１のパチンコ機に採用されている払出制御基板ケースの平面図。
【図４】図２の主制御基板ケースを構成するケース本体の平面図。
【図５】図４におけるＶ−Ｖ方向の断面図。
【図６】図４におけるＶＩ−ＶＩ方向の断面図。
【図７】図２の主制御基板ケースを構成する蓋部材の平面図。
【図８】図７におけるＶＩＩＩ−ＶＩＩＩ方向の断面図。
【図９】図７におけるＩＸ−ＩＸ方向の断面図。
【図１０】ケース本体に対して蓋部材をスライドさせる前の状態を説明するための断面図。
【図１１】ケース本体に対して蓋部材をスライドさせた状態を説明するための断面図。
【図１２】図２におけるＸＩＩ−ＸＩＩ方向に相当する断面図であって、本体側筒部と蓋側筒部の位置関係を説明するための要部拡大断面図。
【図１３】図２の主制御基板ケースに採用されているスプリングピンの平面図。
【図１４】図１３に示されたスプリングピンの上面図。
【図１５】図１３に示されたスプリングピンに固定される組付ピンの正面図。
【図１６】図１５に示された組付ピンの右側面図。
【図１７】図１３のスプリングピンに組付ピンが固定された状態を示す正面図。
【図１８】図１７のスプリングピンが下側収容部に挿し込まれた状態を示す断面図。
【図１９】図１７のスプリングピンが下側収容部と本体側筒部に挿し込まれた状態を示す断面図。
【図２０】図１８に示されたスプリングピンの下側収容部への挿し込み状態を上方から見た図面。
【符号の説明】
【００８５】
１０：主制御基板ケース，１１：払出制御基板ケース，１６：主制御基板，１７：払出制御基板，７６：第一の開封阻止機構，７８：第一のロックセット，８０：識別番号，８２：第二の開封阻止機構，８４：第二のロックセット，８６：識別番号
【図１】
2007275229.tif 000003
【図２】
2007275229.tif 000004
【図３】
2007275229.tif 000005
【図４】
2007275229.tif 000006
【図５】
2007275229.tif 000007
【図６】
2007275229.tif 000008
【図７】
2007275229.tif 000009
【図８】
2007275229.tif 000010
【図９】
2007275229.tif 000011
【図１０】
2007275229.tif 000012
【図１１】
2007275229.tif 000013
【図１２】
2007275229.tif 000014
【図１３】
2007275229.tif 000015
【図１４】
2007275229.tif 000016
【図１５】
2007275229.tif 000017
【図１６】
2007275229.tif 000018
【図１７】
2007275229.tif 000019
【図１８】
2007275229.tif 000020
【図１９】
2007275229.tif 000021
【図２０】
2007275229.tif 000022